(57)【要約】【課題】スムーズなプリント注文を可能とする。【解決手段】デジタルカメラ１４により、プリント対象画像を選択すると、この画像と携帯電話１６のメールアドレスとがプリントサーバ１２へ送信される。この送信を受けてプリントサーバ１２は、プリント対象画像のプリント注文内容を入力するための入力フォームを生成するとともに、入力フォームへアクセスするためのアドレス情報を添付した問い合わせメールを生成し、この問い合わせメールを携帯電話１６に送信する。この問い合わせメールに従って携帯電話１６を操作することで入力フォームにアクセスできる。そして、このアクセスによりＬＣＤ１８に表示される入力画面に従って携帯電話１６を操作することでプリント注文内容を入力できる。【選択図】図９
2007034632.tif 000002
【特許請求の範囲】
【請求項１】
無線通信ネットワークを介して、撮像装置で撮影した画像のプリント注文をプリント注文受注装置に対して行うプリント注文方法であって、
少なくともプリント注文すべき画像のデータを、前記撮像装置から前記プリント注文受注装置に送信して、前記プリント注文の申し込みを開始する注文申し込み開始ステップと、
前記プリント注文の内容を、前記プリント注文受注装置から前記撮像装置のユーザーが所有する携帯電話機に問い合わせる問い合わせステップと、
前記携帯電話機で入力された前記プリント注文の内容を、前記携帯電話機から前記プリント注文受注装置に送信して、前記プリント注文を確定する注文確定ステップとを備えたことを特徴とするプリント注文方法。
【請求項２】
前記注文申し込み開始ステップでは、前記プリント注文すべき画像のデータとともに、前記携帯電話機のメールアドレスを送信し、
前記問い合わせステップでは、前記プリント注文の内容の送信先アドレスを、前記メールアドレスに送信することを特徴とする請求項１に記載のプリント注文方法。
【請求項３】
前記注文確定ステップで確定されたプリント注文の料金を、前記携帯電話機の通信料金として課金することを特徴とする請求項１または２に記載のプリント注文方法。
【請求項４】
前記プリント注文の内容には、少なくともプリントの送付先住所が含まれることを特徴とする請求項１ないし３のいずれかに記載のプリント注文方法。
【請求項５】
前記プリント注文の内容には、プリント枚数、プリントに刻印する日付、およびプリントサイズのうち、少なくともいずれか１つが含まれることを特徴とする請求項１ないし４のいずれかに記載のプリント注文方法。
【請求項６】
前記プリント注文受注装置は、前記プリント注文の確定後、注文が確定された画像の一覧を作成してこれを格納し、この一覧の格納先アドレスを前記携帯電話機に送信することを特徴とする請求項１ないし５のいずれかに記載のプリント注文方法。
【請求項７】
注文が確定された画像のデータを、前記携帯電話機に適した表示サイズにリサイズしたサムネイル画像を用いて、前記一覧を作成することを特徴とする請求項６に記載のプリント注文方法。
【請求項８】
前記プリント注文受注装置は、注文が確定された画像のデータのダウンロード要求を前記携帯電話機から受信し、前記ダウンロード要求で指定されたデータを前記携帯電話機に送信することを特徴とする請求項１ないし７のいずれかに記載のプリント注文方法。
【請求項９】
前記プリント注文受注装置は、前記ダウンロード要求で指定されたデータを、前記携帯電話機に適した表示サイズにリサイズしたサムネイル画像のデータに変換することを特徴とする請求項８に記載のプリント注文方法。
【請求項１０】
前記プリント注文受注装置は、前記ダウンロード要求で指定されたデータに対して、その転送回数を制限するプロテクト処理を施すことを特徴とする請求項８または９に記載のプリント注文方法。
【請求項１１】
注文が確定された画像のプリントの送付先を、前記撮像装置を所有するユーザー以外の他者に指定することが可能であることを特徴とする請求項１ないし１０のいずれかに記載のプリント注文方法。
【請求項１２】
前記他者に送付するプリントの料金を、前記撮像装置を所有するユーザー、または前記他者のいずれが支払うかを選択することが可能であることを特徴とする請求項１１に記載のプリント注文方法。
【請求項１３】
撮像装置で撮影した画像のプリント注文をプリント注文受注装置に対して行うプリント注文システムであって、
前記撮像装置は、少なくともプリント注文すべき画像のデータを、前記プリント注文受注装置に送信して、前記プリント注文の申し込みを開始させる第１無線通信部を備え、
前記プリント注文受注装置は、前記プリント注文の内容を、前記撮像装置のユーザーが所有する携帯電話機に問い合わせ、前記携帯電話機で入力された前記プリント注文の内容を受信して、前記プリント注文を確定する第２無線通信部を備えたことを特徴とするプリント注文システム。
【請求項１４】
前記第１無線通信部は、前記プリント注文すべき画像のデータとともに、前記携帯電話機のメールアドレスを送信し、
前記第２無線通信部は、前記プリント注文の内容の送信先アドレスを、前記メールアドレスに送信することを特徴とする請求項１３に記載のプリント注文システム。
【請求項１５】
前記プリント注文受注装置は、前記注文確定ステップで確定されたプリント注文の料金を、前記携帯電話機の通信料金として課金するための料金計算部を備えたことを特徴とする請求項１３または１４に記載のプリント注文システム。
【請求項１６】
前記プリント注文の内容には、少なくともプリントの送付先住所が含まれることを特徴とする請求項１３ないし１５のいずれかに記載のプリント注文システム。
【請求項１７】
前記プリント注文の内容には、プリント枚数、プリントに刻印する日付、およびプリントサイズのうち、少なくともいずれか１つが含まれることを特徴とする請求項１３ないし１６のいずれかに記載のプリント注文システム。
【請求項１８】
前記プリント注文受注装置は、前記プリント注文の確定後、注文が確定された画像の一覧を作成する一覧作成部と、作成された一覧を格納する一覧格納部とを備え、
前記第２無線通信部は、前記一覧の格納先アドレスを前記携帯電話機に送信することを特徴とする請求項１３ないし１７のいずれかに記載のプリント注文システム。
【請求項１９】
前記一覧作成部は、注文が確定された画像のデータを、前記携帯電話機に適した表示サイズにリサイズしたサムネイル画像を用いて、前記一覧を作成することを特徴とする請求項１８に記載のプリント注文システム。
【請求項２０】
前記第２無線通信部は、注文が確定された画像のデータのダウンロード要求を前記携帯電話機から受信し、前記ダウンロード要求で指定されたデータを前記携帯電話機に送信することを特徴とする請求項１３ないし１９のいずれかに記載のプリント注文システム。
【請求項２１】
前記プリント注文受注装置は、前記ダウンロード要求で指定されたデータを、前記携帯電話機に適した表示サイズにリサイズしたサムネイル画像のデータに変換するデータ変換部を備えたことを特徴とする請求項２０に記載のプリント注文システム。
【請求項２２】
前記プリント注文受注装置は、前記ダウンロード要求で指定されたデータに対して、その転送回数を制限するプロテクト処理を施すプロテクト処理部を備えたことを特徴とする請求項２０または２１に記載のプリント注文システム。
【請求項２３】
注文が確定された画像のプリントの送付先を、前記撮像装置を所有するユーザー以外の他者に指定することが可能であることを特徴とする請求項１３ないし２２のいずれかに記載のプリント注文システム。
【請求項２４】
前記他者に送付するプリントの料金を、前記撮像装置を所有するユーザー、または前記他者のいずれが支払うかを選択することが可能であることを特徴とする請求項２３に記載のプリント注文システム。
【請求項２５】
無線通信ネットワークを介して、撮像装置で撮影した画像のプリント注文を受注するプリント注文受注装置であって、
少なくともプリント注文すべき画像のデータを、前記撮像装置から受信して、前記プリント注文の申し込みを開始し、
前記プリント注文の内容を、前記撮像装置のユーザーが所有する携帯電話機に問い合わせ、前記携帯電話機で入力された前記プリント注文の内容を受信して、前記プリント注文を確定する無線通信部を備えたことを特徴とするプリント注文受注装置。
【請求項２６】
前記無線通信部は、前記プリント注文すべき画像のデータとともに、前記携帯電話機のメールアドレスを前記撮像装置から受信し、
前記プリント注文の内容の送信先アドレスを、前記メールアドレスに送信することを特徴とする請求項２５に記載のプリント注文受注装置。
【請求項２７】
前記注文確定ステップで確定されたプリント注文の料金を、前記携帯電話機の通信料金として課金するための料金計算部を備えたことを特徴とする請求項２５または２６に記載のプリント注文受注装置。
【請求項２８】
前記プリント注文の内容には、少なくともプリントの送付先住所が含まれることを特徴とする請求項２５ないし２７のいずれかに記載のプリント注文受注装置。
【請求項２９】
前記プリント注文の内容には、プリント枚数、プリントに刻印する日付、およびプリントサイズのうち、少なくともいずれか１つが含まれることを特徴とする請求項２５ないし２８のいずれかに記載のプリント注文受注装置。
【請求項３０】
前記プリント注文の確定後、注文が確定された画像の一覧を作成する一覧作成部と、作成された一覧を格納する一覧格納部とを備え、
前記無線通信部は、前記一覧の格納先アドレスを前記携帯電話機に送信することを特徴とする請求項２５ないし２９のいずれかに記載のプリント注文受注装置。
【請求項３１】
前記一覧作成部は、注文が確定された画像のデータを、前記携帯電話機に適した表示サイズにリサイズしたサムネイル画像を用いて、前記一覧を作成することを特徴とする請求項３０に記載のプリント注文受注装置。
【請求項３２】
前記無線通信部は、注文が確定された画像のデータのダウンロード要求を前記携帯電話機から受信し、前記ダウンロード要求で指定されたデータを前記携帯電話機に送信することを特徴とする請求項２５ないし３１のいずれかに記載のプリント注文受注装置。
【請求項３３】
前記ダウンロード要求で指定されたデータを、前記携帯電話機に適した表示サイズにリサイズしたサムネイル画像のデータに変換するデータ変換部を備えたことを特徴とする請求項３２に記載のプリント注文受注装置。
【請求項３４】
前記ダウンロード要求で指定されたデータに対して、その転送回数を制限するプロテクト処理を施すプロテクト処理部を備えたことを特徴とする請求項３２または３３に記載のプリント注文受注装置。
【請求項３５】
注文が確定された画像のプリントの送付先を、前記撮像装置を所有するユーザー以外の他者に指定することが可能であることを特徴とする請求項２５ないし３４のいずれかに記載のプリント注文受注装置。
【請求項３６】
前記他者に送付するプリントの料金を、前記撮像装置を所有するユーザー、または前記他者のいずれが支払うかを選択することが可能であることを特徴とする請求項３５に記載のプリント注文受注装置。
【発明の詳細な説明】
【技術分野】
【０００１】
本発明は、撮像装置で撮影した画像のプリント注文方法、プリント注文システム、及び、画像のプリント注文を受け付けるプリント注文受注装置に関するものである。
【背景技術】
【０００２】
デジタルカメラによって撮影された画像のプリントをプリント専門店に依頼し、業務用の高性能なプリンタによりプリントするサービスが利用されている。しかし、このようなサービスでは、プリント注文時に撮影画像の記憶されたメモリカード、またはデジタルカメラ本体をプリント専門店に持ち込む必要があり、これが煩わしいといった問題があった。
【０００３】
このため、下記特許文献１には、無線通信機能を備えたデジタルカメラによって、撮影画像をプリント専門店に転送できるシステムが記載されている。このシステムによれば、撮影現場から直接プリント専門店に撮影画像を送信できるので便利である。
【特許文献１】特開２００４−８６７３８号公報
【発明の開示】
【発明が解決しようとする課題】
【０００４】
上記特許文献１記載のシステムでは、プリントの注文を行う際に、プリントサイズやプリントされた画像の受け取り先などのプリント注文の内容をデジタルカメラ側で入力する必要がある。しかし、デジタルカメラは、文字入力機能が充実していないため、プリント注文の内容の入力が面倒で煩わしいといった問題があった。
【０００５】
本発明は、上記課題を鑑みてなされたものであり、プリント注文内容の入力を簡単にすることで、手軽でスムーズなプリント注文が可能なプリント注文方法、及び、プリント注文システム、並びに、プリント注文受注装置を提供することを目的としている。
【課題を解決するための手段】
【０００６】
上記目的を達成するために、本発明のプリント注文方法は、無線通信ネットワークを介して、撮像装置で撮影した画像のプリント注文をプリント注文受注装置に対して行うプリント注文方法であって、少なくともプリント注文すべき画像のデータを、前記撮像装置から前記プリント注文受注装置に送信して、前記プリント注文の申し込みを開始する注文申し込み開始ステップと、前記プリント注文の内容を、前記プリント注文受注装置から前記撮像装置のユーザーが所有する携帯電話機に問い合わせる問い合わせステップと、前記携帯電話機で入力された前記プリント注文の内容を、前記携帯電話機から前記プリント注文受注装置に送信して、前記プリント注文を確定する注文確定ステップとを備えたことを特徴としている。
【０００７】
前記注文申し込み開始ステップでは、前記プリント注文すべき画像のデータとともに、前記携帯電話機のメールアドレスを送信し、前記問い合わせステップでは、前記プリント注文の内容の送信先アドレスを、前記メールアドレスに送信することが好ましい。
【０００８】
また、前記注文確定ステップで確定されたプリント注文の料金を、前記携帯電話機の通信料金として課金することが好ましい。
【０００９】
さらに、前記プリント注文の内容には、少なくともプリントの送付先住所が含まれることが好ましい。
【００１０】
また、前記プリント注文の内容には、プリント枚数、プリントに刻印する日付、およびプリントサイズのうち、少なくともいずれか１つが含まれることが好ましい。
【００１１】
さらに、前記プリント注文受注装置は、前記プリント注文の確定後、注文が確定された画像の一覧を作成してこれを格納し、この一覧の格納先アドレスを前記携帯電話機に送信することが好ましい。
【００１２】
また、注文が確定された画像のデータを、前記携帯電話機に適した表示サイズにリサイズしたサムネイル画像を用いて、前記一覧を作成することが好ましい。
【００１３】
さらに、前記プリント注文受注装置は、注文が確定された画像のデータのダウンロード要求を前記携帯電話機から受信し、前記ダウンロード要求で指定されたデータを前記携帯電話機に送信することが好ましい。
【００１４】
また、前記プリント注文受注装置は、前記ダウンロード要求で指定されたデータを、前記携帯電話機に適した表示サイズにリサイズしたサムネイル画像のデータに変換することが好ましい。
【００１５】
さらに、前記プリント注文受注装置は、前記ダウンロード要求で指定されたデータに対して、その転送回数を制限するプロテクト処理を施すことが好ましい。
【００１６】
また、注文が確定された画像のプリントの送付先を、前記撮像装置を所有するユーザー以外の他者に指定することが可能であることが好ましい。
【００１７】
さらに、前記他者に送付するプリントの料金を、前記撮像装置を所有するユーザー、または前記他者のいずれが支払うかを選択することが可能であることが好ましい。
【００１８】
また、本発明のプリント注文システムは、撮像装置で撮影した画像のプリント注文をプリント注文受注装置に対して行うプリント注文システムであって、前記撮像装置は、少なくともプリント注文すべき画像のデータを、前記プリント注文受注装置に送信して、前記プリント注文の申し込みを開始させる第１無線通信部を備え、前記プリント注文受注装置は、前記プリント注文の内容を、前記撮像装置のユーザーが所有する携帯電話機に問い合わせ、前記携帯電話機で入力された前記プリント注文の内容を受信して、前記プリント注文を確定する第２無線通信部を備えたことを特徴としている。
【００１９】
本発明のプリント注文システムにおいて、前記第１無線通信部は、前記プリント注文すべき画像のデータとともに、前記携帯電話機のメールアドレスを送信し、前記第２無線通信部は、前記プリント注文の内容の送信先アドレスを、前記メールアドレスに送信することが好ましい。
【００２０】
また、本発明のプリント注文システムにおいて、前記プリント注文受注装置は、前記注文確定ステップで確定されたプリント注文の料金を、前記携帯電話機の通信料金として課金するための料金計算部を備えていることが好ましい。
【００２１】
さらに、本発明のプリント注文システムにおいて、前記プリント注文の内容には、少なくともプリントの送付先住所が含まれることが好ましい。
【００２２】
また、本発明のプリント注文システムにおいて、前記プリント注文の内容には、プリント枚数、プリントに刻印する日付、およびプリントサイズのうち、少なくともいずれか１つが含まれることが好ましい。
【００２３】
さらに、本発明のプリント注文システムにおいて、前記プリント注文受注装置は、前記プリント注文の確定後、注文が確定された画像の一覧を作成する一覧作成部と、作成された一覧を格納する一覧格納部とを備え、前記第２無線通信部は、前記一覧の格納先アドレスを前記携帯電話機に送信することが好ましい。
【００２４】
また、本発明のプリント注文システムにおいて、前記一覧作成部は、注文が確定された画像のデータを、前記携帯電話機に適した表示サイズにリサイズしたサムネイル画像を用いて、前記一覧を作成することが好ましい。
【００２５】
さらに、本発明のプリント注文システムにおいて、前記第２無線通信部は、注文が確定された画像のデータのダウンロード要求を前記携帯電話機から受信し、前記ダウンロード要求で指定されたデータを前記携帯電話機に送信することが好ましい。
【００２６】
また、本発明のプリント注文システムにおいて、前記プリント注文受注装置は、前記ダウンロード要求で指定されたデータを、前記携帯電話機に適した表示サイズにリサイズしたサムネイル画像のデータに変換するデータ変換部を備えていることが好ましい。
【００２７】
さらに、本発明のプリント注文システムにおいて、前記プリント注文受注装置は、前記ダウンロード要求で指定されたデータに対して、その転送回数を制限するプロテクト処理を施すプロテクト処理部を備えていることが好ましい。
【００２８】
また、本発明のプリント注文システムにおいて、注文が確定された画像のプリントの送付先を、前記撮像装置を所有するユーザー以外の他者に指定することが可能であることが好ましい。
【００２９】
さらに、本発明のプリント注文システムにおいて、前記他者に送付するプリントの料金を、前記撮像装置を所有するユーザー、または前記他者のいずれが支払うかを選択することが可能であることが好ましい。
【００３０】
また、本発明のプリント注文受注装置は、無線通信ネットワークを介して、撮像装置で撮影した画像のプリント注文を受注するプリント注文受注装置であって、少なくともプリント注文すべき画像のデータを、前記撮像装置から受信して、前記プリント注文の申し込みを開始し、前記プリント注文の内容を、前記撮像装置のユーザーが所有する携帯電話機に問い合わせ、前記携帯電話機で入力された前記プリント注文の内容を受信して、前記プリント注文を確定する無線通信部を備えたことを特徴としている。
【００３１】
本発明のプリント注文受注装置において、前記無線通信部は、前記プリント注文すべき画像のデータとともに、前記携帯電話機のメールアドレスを前記撮像装置から受信し、前記プリント注文の内容の送信先アドレスを、前記メールアドレスに送信することが好ましい。
【００３２】
また、本発明のプリント注文受注装置において、前記注文確定ステップで確定されたプリント注文の料金を、前記携帯電話機の通信料金として課金するための料金計算部を備えていることが好ましい。
【００３３】
さらに、本発明のプリント注文受注装置において、前記プリント注文の内容には、少なくともプリントの送付先住所が含まれることが好ましい。
【００３４】
また、本発明のプリント注文受注装置において、前記プリント注文の内容には、プリント枚数、プリントに刻印する日付、およびプリントサイズのうち、少なくともいずれか１つが含まれることが好ましい。
【００３５】
さらに、本発明のプリント注文受注装置において、前記プリント注文の確定後、注文が確定された画像の一覧を作成する一覧作成部と、作成された一覧を格納する一覧格納部とを備え、前記無線通信部は、前記一覧の格納先アドレスを前記携帯電話機に送信することが好ましい。
【００３６】
また、本発明のプリント注文受注装置において、前記一覧作成部は、注文が確定された画像のデータを、前記携帯電話機に適した表示サイズにリサイズしたサムネイル画像を用いて、前記一覧を作成することが好ましい。
【００３７】
さらに、本発明のプリント注文受注装置において、前記無線通信部は、注文が確定された画像のデータのダウンロード要求を前記携帯電話機から受信し、前記ダウンロード要求で指定されたデータを前記携帯電話機に送信することが好ましい。
【００３８】
また、本発明のプリント注文受注装置において、前記ダウンロード要求で指定されたデータを、前記携帯電話機に適した表示サイズにリサイズしたサムネイル画像のデータに変換するデータ変換部を備えていることが好ましい。
【００３９】
さらに、本発明のプリント注文受注装置において、前記ダウンロード要求で指定されたデータに対して、その転送回数を制限するプロテクト処理を施すプロテクト処理部を備えていることが好ましい。
【００４０】
また、本発明のプリント注文受注装置において、注文が確定された画像のプリントの送付先を、前記撮像装置を所有するユーザー以外の他者に指定することが可能であることが好ましい。
【００４１】
さらに、本発明のプリント注文受注装置において、前記他者に送付するプリントの料金を、前記撮像装置を所有するユーザー、または前記他者のいずれが支払うかを選択することが可能であることが好ましい。
【発明の効果】
【００４２】
本発明によれば、デジタルカメラからプリント注文受注装置にプリント注文すべき画像データを送信した後、プリント注文内容の入力を文字入力機能の充実した携帯電話機で行うようにしたので、プリント注文の内容の入力が簡単で、手軽でスムーズなプリント注文が可能となる。
【発明を実施するための最良の形態】
【００４３】
図１に、本発明のプリント注文システムの構成図を示す。プリント注文システム１０は、プリント注文受注サーバ１２と、このプリント注文受注サーバ１２と周知の無線通信ネットワーク１３を介して接続されるデジタルカメラ１４、並びに、携帯電話機１６とから構成される。デジタルカメラ１４と携帯電話機１６とは共通のユーザーによって所有される。他方、プリント注文受注サーバ１２は、例えば、プリント注文を受注して業務用の高性能なプリンタでプリントし、プリントした画像を配送するプリント受注会社によって運営される。
【００４４】
携帯電話機１６は、液晶ディスプレイ（ＬＣＤ）１８や、操作部２０を備えている。ＬＣＤ１８には、電子メールの文面や、各種入力を行うための入力画面など各種画面が表示される。操作部２０には、入力画面に表示されるカーソルを移動するためのカーソルキー２０ａ、カーソルにより選択された項目の内容を決定するための選択ボタン２０ｂ、数字や文字入力を行うためのテンキー２０ｃなどの各種操作部材が設けられている。
【００４５】
携帯電話機１６の構成を表す図２において、携帯電話機１６の内部にはＣＰＵ２２が設けられており、携帯電話機１６の各部に接続されている。ＣＰＵ２２は、ＲＯＭ２４に記録された制御プログラムをＲＡＭ２６に読み出して、接続された各部を駆動制御する。通信部２８は、無線通信ネットワーク１３に接続され、携帯電話機１６が無線通信ネットワーク１３を介して行う各種情報の送受信を中継する。
【００４６】
デジタルカメラ１４の構成を示す図３において、デジタルカメラ１４の内部にはＣＰＵ３０が設けられ、デジタルカメラ１４の各部と接続されている。ＣＰＵ３０は、ＲＯＭ３２に記憶された制御プログラムをＲＡＭ３４に読み出して、接続された各部を駆動制御する。
【００４７】
操作部３６には、撮影指示を入力するためのシャッタボタン３６ａ、撮影モード、再生モード、メニューモードを切り替えるためのモード切り替えボタン、カーソルの移動を行うための十字キー、各種項目の選択、決定を行うための決定ボタン、デジタルカメラ１４によって撮影された画像のプリント注文を行う際に操作されるプリント注文ボタン３６ｂなど各種操作部材が設けられている。
【００４８】
撮像部４０は、被写体像を取り込む撮像レンズや、撮像レンズからの光学的な被写体像を電気的な撮像信号に変換して出力するＣＣＤイメージセンサを含んで構成される。信号処理部４２は、撮像部４０から出力された撮像信号に対して、相関二重サンプリング、増幅、Ａ／Ｄ変換などの各種信号処理を施し、デジタルの画像データに変換する。画像処理部４４は、信号処理後の画像データに対して、輪郭強調、ガンマ補正、ホワイトバランス調整などの各種画像処理を施す。処理済みの画像データは、ＬＣＤ４５にスルー画として表示される。また、スルー画表示中にシャッタボタン３６ａが押下された場合は、処理済みの画像データが所定の形式で圧縮されてメモリカード４６に記憶される。
【００４９】
ＥＥＰＲＯＭ４７には、携帯電話機１６のメールアドレスが登録されている。このメールアドレスは、例えば、図４に示すように、メニューモードにおいてＬＣＤ４５に表示されるアドレス入力画面４８に従って入力操作を行うことによって登録される。なお、無線通信ネットワーク１３や、接続ケーブル（図示せず）などを介して接続された外部機器から携帯電話機１６のメールアドレスを登録してもよい。
【００５０】
プリント画像選択部４９は、プリント注文ボタン３６ｂが押下されると、図５に示すプリント画像選択画面５２をＬＣＤ４５に表示させ、プリント注文する画像（以下、プリント対象画像と表記する）をユーザーに選択させる。このプリント画像選択画面５２では、メモリカード４６に記憶された画像が一覧表示され、操作部３６を操作することで一覧表示された画像の中からプリント対象画像を選択できる。また、このプリント画像選択画面５２においては、プリント対象画像のプリント枚数や、撮影日時を刻印するか否かを選択することができる。
【００５１】
図３において、プリント画像送信部５０は、プリント画像選択画面５２において選択終了タグ５４が選択されると、無線通信ネットワーク１３を介してプリント注文受注サーバに接続し、プリント対象画像のデータと、この画像のプリント枚数や撮影日時を刻印するか否かを示すプリント情報、並びに、ＥＥＰＲＯＭ４７に記憶された携帯電話機１６のメールアドレスを、プリント注文受注サーバ１２へ送信する。
【００５２】
プリント注文受注サーバ１２の構成を表す図６において、プリント注文受注サーバ１２の内部には、ＣＰＵ６８が設けられ、プリント注文受注サーバ１２の各部に接続されている。ＣＰＵ６８は、ＲＯＭ７０に記憶された制御プログラムを、ＲＡＭ７２に読み出して接続された各部を駆動制御する。通信部７４は、無線通信ネットワーク１３に接続されており、プリント注文受注サーバ１２がデジタルカメラ１４や、携帯電話機１６との間で行う各種情報の送受信を中継する。
【００５３】
プリント注文受付部７８は、記憶部８０、データ変換部８２、入力フォーム生成部８３、問い合わせメール生成部８４、プリント料金計算部８５を備え、これらを制御してプリント注文の受付処理を行う。プリント注文の受付処理は、デジタルカメラ１４から送られたプリント対象画像の受信を契機に開始される。プリント注文の受付処理開始に伴って、プリント注文受付部７８は、記憶部８０内にホルダ８６を作成し、このホルダ８６内にデジタルカメラ１４から送られたプリント対象画像及びプリント情報を格納する。
【００５４】
データ変換部８２は、ホルダ８６に格納されたプリント対象画像に基づいて、サムネイル画像を生成する。このサムネイル画像は、プリント対象画像を携帯電話機１６のＬＣＤ１８に適した表示サイズにリサイズしたものであり、プリント対象画像とともに、ホルダ８６内に格納される。
【００５５】
入力フォーム生成部８３は、デジタルカメラ１４から送られた画像データのプリント注文の内容を入力するための入力フォームを生成して、この入力フォームをホルダ８６に格納する。問い合わせメール生成部８４は、入力フォームへアクセスするためのアドレス情報を添付した問い合わせメールを生成する。通信部７４は、ＣＰＵ６８の制御のもと、生成された問い合わせメールを携帯電話機１６のメールアドレスに送信する。
【００５６】
携帯電話機１６の操作部２０を操作して問い合わせメールを開くと、携帯電話機１６のＬＣＤ１８には、図７に示すように、プリント注文を進めるための手順を示すメッセージ８８と、アクセスタグ９０とが表示される。アクセスタグ９０には、リンク先として入力フォームが設定されており、選択操作することで入力フォームへアクセスできる。
【００５７】
携帯電話機１６が入力フォームへアクセスすると、携帯電話機１６のＬＣＤ１８には、入力フォームに基づく入力画面が表示される。入力画面は、図８（Ａ）に示す、プリントサイズ入力画面９２と、同図（Ｂ）に示すユーザー情報入力画面９４とからなり、初めにプリントサイズ入力画面９２が表示される。
【００５８】
図８（Ａ）において、プリントサイズ入力画面９２には、データ変換部８２によって生成されたサムネイル画像９６が一覧表示される他、画像のプリントサイズを入力するための入力欄９８が表示され、操作部２０を操作することで入力欄９８へ入力できる。また、プリントサイズ入力画面９２には、画面切り替えタグ１００が表示され、この画面切り替えタグ１００を選択することで、ユーザー情報入力画面９４が表示される。
【００５９】
図８（Ｂ）おいて、ユーザー情報入力画面９４には、プリント済み画像の受け取り先として、デジタルカメラ１４及び携帯電話機１６のユーザーの自宅住所を入力するための住所入力欄１０２、ユーザーの氏名を入力するための氏名入力欄１０４、後述するプリント料金の課金の際に必要となる携帯電話機１６のパスワードを入力するためのパスワード入力欄１０６が表示され、操作部２０を操作することで各入力欄１０２、１０４、１０６に入力できる。また、ユーザー情報入力画面９４には、入力完了タグ１０８が表示される。この入力完了タグ１０８を選択することで、携帯電話１６で入力されたプリント注文の内容が、入力フォームに送られてプリント注文が確定する。
【００６０】
図６において、プリント料金計算部８５は、プリント注文が確定すると、プリント枚数やプリントサイズなどに基づいて、プリント対象画像をプリントする際のプリント料金を算出する。このプリント料金のデータは、携帯電話１６のパスワードのデータとともに、プリントサービス会社と提携した携帯電話会社に送られる。携帯電話会社は、プリント料金を携帯電話１６の利用料金に課金するとともに、ユーザーから支払われた携帯電話１６の利用料金のうちプリント料金相当分をプリントサービス会社に支払う。こうすることで、プリントサービス会社は、プリント料金を回収できる。プリント注文内容の入力時に携帯電話のパスワードを入力することで、例えば、携帯電話１６が他人に悪用され、ユーザーの身に覚えのない請求がきたりするといった問題を防止することができる。
【００６１】
また、プリント注文が確定すると、プリント注文受付部７８は、確定したプリント注文の内容を通知する通知メールを生成し、この通知メールに、プリント対象画像に対応するサムネイル画像の一覧を添付して、携帯電話機１６に送信する。これにより、プリント注文の受付処理が完了する。
【００６２】
以下、上記構成による本発明の作用について、図９に示すフローチャートをもとに説明する。デジタルカメラ１４に記憶された画像のプリント注文を行う場合、ユーザーは、デジタルカメラ１４のプリント注文ボタン３６ｂを押下して、ＬＣＤ４５に表示されるプリント画像選択画面５２（図５参照）に従って、プリント対象画像と、プリント枚数や撮影日時の刻印の有無を選択する。選択が終了すると、選択されたプリント対象画像と、プリント枚数や撮影日時の刻印の有無を表すプリント情報、並びに、予め登録された携帯電話機１６のメールアドレスとがプリント画像送信部５０を介してプリント注文受注サーバ１２に送信される。
【００６３】
デジタルカメラ１４からプリント対象画像が送信されると、プリント注文受注サーバ１２のプリント注文受付部７８においてプリント注文の受付処理が開始される。そして、プリント対象画像のプリント注文の内容を入力するための入力フォームが入力フォーム生成部８３にて生成される。また、入力フォームへアクセスするためのアドレス情報を添付した問い合わせメールが問い合わせメール生成部８４にて生成され、この問い合わせメールが通信部７４を介して携帯電話機１６に送信される。
【００６４】
この問い合わせメールに従って携帯電話機１６の操作部２０を操作して入力フォームにアクセスすると、携帯電話機１６のＬＣＤ１８には、画像のプリントサイズを入力するためのプリントサイズ入力画面９２（図８（Ａ）参照）が表示される。ユーザーは、プリントサイズ入力画面９２に従って操作部２０を操作してプリントサイズを入力し、入力後に画面切り替えタグ１００を選択する。
【００６５】
画面選択タグ１００が選択されると、ＬＣＤ１８には、ユーザー情報を入力するためのユーザー情報入力画面９４（図８（Ｂ）参照）が表示される。ユーザーは、ユーザー情報入力画面９４に従って操作部２０を操作して、プリント済み画像の配送先となる自宅住所、氏名、携帯電話１６のパスワードを入力し、入力後に入力完了タグ１０８を選択する。これにより、携帯電話１６で入力したプリント注文内容が入力フォームに送られて、プリント注文が確定する。
【００６６】
プリント注文が確定すると、プリント料金計算部８５により、プリント対象画像をプリントする際のプリント料金が算出される。算出されたプリント料金のデータは、携帯電話１６のパスワードのデータとともに、プリントサービス会社と提携した携帯電話会社に送られる。そして、プリント料金が携帯電話１６の利用料金として課金される。
【００６７】
また、プリント注文が確定すると、プリント対象画像に対応するサムネイル画像の一覧と、プリント注文内容とからなる確認メールがプリント注文受付部７８から携帯電話１６へ送信される。これにより、プリント注文受注処理が完了する。
【００６８】
プリント注文の受付処理が完了した後、デジタルカメラ１４から送られたプリント対象画像とプリント情報、並びに、携帯電話機１６から入力されたプリント注文の内容が、プリント済み画像の送付先であるユーザーの自宅に最も近いプリント店（図示せず）に送られる。プリント店では、店舗に設置された業務用の高性能プリンタにより、プリント注文の内容に従って画像のプリントが行われる。そして、プリント店からユーザーの自宅にプリント済みの画像が配送される。
【００６９】
このように、プリント注文システム１０によれば、プリント注文内容の入力を携帯電話機によって行うようにしたため、プリント注文内容の入力が簡単であり、スムーズなプリント注文が可能である。また、プリント料金を携帯電話機の利用料金として課金するようにしたので、例えば、プリント専門店等の店頭でプリント済み画像と引き替えに料金を支払う場合と比較して手軽で便利である。
【００７０】
なお、ユーザーによっては、プリント料金の支払い方法として、代金引換や銀行振り込みなどの支払い方法を希望する場合もあるので、プリント料金の支払い方法として代金引換や銀行振り込みなどの方法を用意し、プリント料金の支払い方法をユーザーに選択させてもよい。この場合、プリント注文内容を入力する際に、プリント料金の支払い方法を入力すればよい。
【００７１】
また、上記実施形態では、プリント枚数や撮影日時を刻印するか否かを示すプリント情報を、デジタルカメラ側で入力する例で説明しているが、このプリント情報を、プリント注文内容として携帯電話機から入力するようにしてもよい。また、この例に限定されず、プリント注文内容として入力する項目は適宜変更できる。例えば、画像に対して行う加工や編集の内容などをプリント注文内容として入力してもよい。
【００７２】
なお、上記実施形態では、プリント注文が確定された後、プリント対象画像に対応するサムネイル画像を全て携帯電話機に対して送信する例で説明をしたが、ダウンロードを希望する画像をユーザーに選択させ、選択された画像のみを携帯電話機に送信してもよい。この場合、例えば、図１０に示すように、プリント注文内容として、プリントサイズやユーザー情報に加え、プリント対象画像に対応するサムネイル画像の一覧のなかからダウンロードを希望するサムネイル画像を選択させる。そして、プリント注文の確定後、プリント受注サーバ１０９から携帯電話機１６へ、選択されたサムネイル画像を送信する。なお、図１０以降の図面においては、上述した実施形態と同様の部材については同様の符号を付して説明を省略している。
【００７３】
また、サムネイル画像を携帯電話機に送信する際には、例えば、図１１（Ａ）に示すように、デジタルカメラ１４のユーザーが所有する携帯電話機１６から他の携帯電話機１１０に対してはサムネイル画像を送信可能とし、携帯電話機１１０からさらに他の携帯電話機１１２、１１３、１１４に対しては画像の送信にロックがかかるようにすることが好ましい。
【００７４】
この場合、図１１（Ｂ）に示すように、プリント注文受注サーバ１１５に、プロテクト処理部１１６を設ける。プロテクト処理部１１６は、データ変換部８２により生成されたサムネイル画像に対して、転送履歴を記録するタグを付帯させる。そして、タグに記録された転送履歴に基づいて携帯電話機が画像転送の可否を判断する。このようなプロテクト処理を施すことによって、例えば、友人などにダウンロードした画像を転送することができて便利であるとともに、友人から他へはこの画像を転送できないのでプライバシーの侵害など画像の２次利用に伴う問題を防止できる。
【００７５】
なお、上記実施形態では、プリント注文を行ったユーザー（以下、ユーザーＡと称する）にプリント済み画像が配送される例で説明をしたが、ユーザーＡ以外のユーザー（以下、ユーザーＢと称する）にプリント済み画像が配送されるようにしてもよい。この場合、図１２に示すように、ユーザーＡの携帯電話機１６にてプリント注文内容を入力する際に、プリント注文内容として、ユーザーＢの携帯電話機１１８のメールアドレスと、ユーザーＢに送付する画像、並びに、ユーザーＢに送る画像のプリント料金をユーザーＡ、Ｂのいずれが支払うかを入力する。
【００７６】
プリント注文内容としてユーザーＢの携帯電話機１１８のメールアドレスが入力されると、プリント注文受注サーバ１２０は、ユーザーＢの携帯電話機１１８へ問い合わせメールを送信する。この問い合わせメールに従って入力フォームにアクセスすることでユーザーＢの携帯電話機１１８からプリント注文の内容を入力できる。このとき、プリント注文内容として、初めに、プリントを行うか否かを入力し、プリントを行う場合は、引き続きユーザーＢの自宅住所、氏名などを入力する。
【００７７】
そして、プリントを行う場合は、プリント料金が指定されたユーザーの携帯電話の利用料金に課金される。また、前述した実施形態の場合と同様に、ユーザーＢの自宅にプリント済み画像が配送される。こうすることで、複数のユーザーにプリント済み画像を配布でき、例えば、集合写真をプリントする場合に便利である。
【図面の簡単な説明】
【００７８】
【図１】プリント注文システムの構成図である。
【図２】携帯電話機の構成図である。
【図３】デジタルカメラの構成図である。
【図４】アドレス入力画面の一例を示す説明図である。
【図５】プリント画像選択画面の一例を示す説明図である。
【図６】プリント注文受注サーバの構成図である。
【図７】問い合わせメールの文面一例を示す説明図である。
【図８】プリント注文内容を入力する入力画面の一例を示す説明図である。
【図９】プリント注文手順を示すフローチャートである。
【図１０】サムネイル画像のなかからダウンロードする画像を選択する場合の手順を示すフローチャートである。
【図１１】サムネイル画像にプロテクト処理を施す例を表す説明図である。
【図１２】プリント注文手順を示すフローチャートである。
【符号の説明】
【００７９】
１０  プリント注文システム
１２、１０９、１１５、１２０  プリント注文受注サーバ
１３  無線通信ネットワーク
１４  デジタルカメラ
１６、１１０、１１２、１１３、１１４、１１８  携帯電話機
４７  ＥＥＰＲＯＭ
４８  アドレス入力画面
４９  プリント画像選択部
５０  プリント画像送信部
５２  プリント画像選択画面
７８  プリント注文受付部
８０  記憶部
８２  データ変換部
８３  入力フォーム生成部
８４  問い合わせメール生成部
８６  ホルダ
９２  プリントサイズ入力画面
９４  ユーザー情報入力画面
９６  サムネイル画像
１１６  プロテクト処理部
【図１】
2007034632.tif 000003
【図２】
2007034632.tif 000004
【図３】
2007034632.tif 000005
【図４】
2007034632.tif 000006
【図５】
2007034632.tif 000007
【図６】
2007034632.tif 000008
【図７】
2007034632.tif 000009
【図８】
2007034632.tif 000010
【図９】
2007034632.tif 000011
【図１０】
2007034632.tif 000012
【図１１】
2007034632.tif 000013
【図１２】
2007034632.tif 000014